【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
第１被写体を撮像し、前記第１被写体を含む画像データを出力する撮像部と、
前記第１被写体を含む画像データから前記第１被写体を認識する認識部と、
前記認識部によって認識された前記第１被写体を特定するための第１被写体特定情報と記憶部に記憶された第１データとを関連付ける関連付け部と、
を備える電子機器。
【請求項２】
請求項１に記載の電子機器において、
前記第１データは第１画像データである電子機器。
【請求項３】
請求項２に記載の電子機器において、
前記撮像部によって撮像された画像データに基づく画像を表示する表示部とを備え、
前記認識部は、前記第１被写体を含む画像データに基づく画像が前記表示部に表示されている状態で、前記第１被写体を認識し、
前記関連付け部は、前記認識部によって認識された前記第１被写体の前記第１被写体特定情報と前記第１画像データとを関連付ける電子機器。
【請求項４】
請求項３に記載の電子機器において、
前記表示部は、複数のサムネイル画像を表示し、
前記第１画像データは、前記複数のサムネイル画像のうち、ユーザによって選択されたサムネイル画像に対応する画像データである電子機器。
【請求項５】
請求項４に記載の電子機器において、
前記撮像部は、前記ユーザによってサムネイル画像の選択が行われた後、前記撮像部による撮像を行う電子機器。
【請求項６】
請求項３から請求項５のいずれか一項に記載の電子機器において、
前記表示部は、前記認識部によって前記第１被写体が認識された場合、前記第１被写体を強調する表示を行う電子機器。
【請求項７】
請求項３から請求項６のいずれか一項に記載の電子機器において、
前記第１被写体特定情報は、前記第１被写体を含む第２画像データであり、
前記撮像部は、前記第１被写体とは異なる第２被写体を撮像し、前記第２被写体を含む画像データを出力し、
前記認識部は、前記第２被写体を含む画像データに基づく画像が前記表示部に表示されている状態で、前記第２被写体を認識し、
前記関連付け部は、前記認識部によって認識された前記第２被写体を特定するための第２被写体特定情報と前記第２画像データとを関連付ける電子機器。
【請求項８】
請求項７に記載の電子機器において、
前記第２画像データは、前記第１画像データを含む複数の画像データが関連付けられている電子機器。
【請求項９】
第１被写体を撮像し、前記第１被写体を含む画像データを出力する撮像部と、
前記第１被写体を含む画像データから前記第１被写体を認識する認識部と、
前記認識部により前記第１被写体が認識されたことに基づいて、前記第１被写体と関連付けられた第１データを表示する表示部とを備える電子機器。
【請求項１０】
請求項９に記載の電子機器において、
前記第１データは第１画像データである電子機器。
【請求項１１】
請求項９または請求項１０に記載の電子機器において、
前記認識部によって前記第１被写体が認識されるまで、前記第１データを前記表示部に表示させない制御部とを備える電子機器。  
【請求項１２】
請求項１１に記載の電子機器において、
前記制御部は、前記認識部による前記第１被写体の認識にかかわらず、前記第１データに対応するサムネイル画像を前記表示部に表示可能にする電子機器。
【請求項１３】
請求項９から請求項１２のいずれか一項に記載の電子機器において、
前記認識部は、前記第１被写体を含む画像データに基づく画像が前記表示部に表示されている状態で、前記第１被写体を認識する電子機器。
【請求項１４】
請求項９から請求項１３のいずれか一項に記載の電子機器において、
前記表示部は、前記第１被写体に重畳させて前記第１データを表示する電子機器。
【請求項１５】
請求項９から請求項１４のいずれか一項に記載の電子機器において、
前記表示部は、前記認識部によって前記第１被写体が認識された場合、前記第１被写体を強調する表示を行う電子機器。
【請求項１６】
請求項９から請求項１４のいずれか一項に記載の電子機器において、
前記撮像部は、前記第１被写体とは異なる第２被写体を撮像し、前記第２被写体を含む画像データを出力し、
前記認識部は、前記第２被写体を含む画像データから前記第２被写体を認識し、
前記表示部は、前記認識部によって前記第２被写体が認識されたことに基づいて、前記第２被写体と関連付けられた、前記第１被写体を含む第２画像データを表示する電子機器。
【請求項１７】
第１被写体を撮像し、前記第１被写体を含む画像データを出力する撮像部と、
前記撮像部によって撮像された画像データに基づく画像を表示する表示部と、
前記第１被写体を含む画像データから前記第１被写体を認識する認識部と、
前記認識部によって認識された前記第１被写体を特定するための第１被写体特定情報と記憶部に記憶された第１データとを関連付ける関連付け部とを備え、
前記表示部は、前記関連付け部によって、前記第１データと前記第１被写体特定情報とが関連付けられた後、前記撮像部によって前記第１被写体が撮像され前記第１被写体を含む画像データから前記第１被写体が認識された場合、前記第１データを表示する電子機器。
【請求項１８】
第１被写体を撮像し、前記第１被写体を含む画像データを出力する処理と、
前記第１被写体を含む画像データから前記第１被写体を認識する処理と、
認識された前記第１被写体を特定するための第１被写体特定情報と記憶部に記憶された第１データとを関連付ける処理とをコンピュータに実行させるプログラム。
【請求項１９】
第１被写体を撮像し、前記第１被写体を含む画像データを出力する処理と、
前記第１被写体を含む画像データから前記第１被写体を認識する処理と、
前記第１被写体が認識されたことに基づいて、前記第１被写体と関連付けられた第１データを表示する処理とをコンピュータに実行させるプログラム。
【請求項２０】
第１被写体を撮像し、前記第１被写体を含む画像データを出力する処理と、
前記第１被写体を含む画像データから前記第１被写体を認識する処理と、
認識された前記第１被写体を特定するための第１被写体特定情報と記憶部に記憶された第１データとを関連付ける処理と、
前記第１データと前記第１被写体特定情報とが関連付けられた後、前記第１被写体を撮像し、前記第１被写体を含む画像データを出力する処理と、
前記第１被写体を含む画像データから前記第１被写体が認識された場合、前記第１データを表示する処理とをコンピュータに実行させるプログラム。
【手続補正２】
【補正対象書類名】明細書
【補正対象項目名】０００５
【補正方法】変更
【補正の内容】
【０００５】
請求項１に記載の電子機器は、第１被写体を撮像し、前記第１被写体を含む画像データを出力する撮像部と、前記第１被写体を含む画像データから前記第１被写体を認識する認識部と、前記認識部によって認識された前記第１被写体を特定するための第１被写体特定情報と記憶部に記憶された第１データとを関連付ける関連付け部と、を備える。
請求項９に記載の電子機器は、第１被写体を撮像し、前記第１被写体を含む画像データを出力する撮像部と、前記第１被写体を含む画像データから前記第１被写体を認識する認識部と、前記認識部により前記第１被写体が認識されたことに基づいて、前記第１被写体と関連付けられた第１データを表示する表示部とを備える。
請求項１７に記載の電子機器は、第１被写体を撮像し、前記第１被写体を含む画像データを出力する撮像部と、前記撮像部によって撮像された画像データに基づく画像を表示する表示部と、前記第１被写体を含む画像データから前記第１被写体を認識する認識部と、前記認識部によって認識された前記第１被写体を特定するための第１被写体特定情報と記憶部に記憶された第１データとを関連付ける関連付け部とを備え、前記表示部は、前記関連付け部によって、前記第１データと前記第１被写体特定情報とが関連付けられた後、前記撮像部によって前記第１被写体が撮像され前記第１被写体を含む画像データから前記第１被写体が認識された場合、前記第１データを表示する。
請求項１８に記載のプログラムは、第１被写体を撮像し、前記第１被写体を含む画像データを出力する処理と、前記第１被写体を含む画像データから前記第１被写体を認識する処理と、認識された前記第１被写体を特定するための第１被写体特定情報と記憶部に記憶された第１データとを関連付ける処理とをコンピュータに実行させる。
請求項１９に記載のプログラムは、第１被写体を撮像し、前記第１被写体を含む画像データを出力する処理と、前記第１被写体を含む画像データから前記第１被写体を認識する処理と、前記第１被写体が認識されたことに基づいて、前記第１被写体と関連付けられた第１データを表示する処理とをコンピュータに実行させる。
請求項２０に記載のプログラムは、第１被写体を撮像し、前記第１被写体を含む画像データを出力する処理と、前記第１被写体を含む画像データから前記第１被写体を認識する処理と、認識された前記第１被写体を特定するための第１被写体特定情報と記憶部に記憶された第１データとを関連付ける処理と、前記第１データと前記第１被写体特定情報とが関連付けられた後、前記第１被写体を撮像し、前記第１被写体を含む画像データを出力する処理と、前記第１被写体を含む画像データから前記第１被写体が認識された場合、前記第１データを表示する処理とをコンピュータに実行させる。